【事件の表示】
　平成　３年特許願第１００５３９号「通信システム」拒絶査定に対する審判事件［平成　９年　１月２１日出願公開、特開平　９−　２２３８９］について、次のとおり審決する。
【結　論】
　本件審判の請求は、成り立たない。
【理　由】
【１】本願発明
　本願は、平成３年４月５日の出願であって、その請求項１〜１０に係る発明は、平成９年３月３日付け、平成１０年１２月２５日付け、平成１１年６月１１日付け、平成１１年１０月２２日付け及び平成１３年１０月２日付けの各手続補正書により補正された明細書及び図面の記載からみて、その特許請求の範囲に記載されたとおりのものであって、当該請求項１に係る発明（以下、「本願発明」という。）は、次のとおりのものと認める。
「【請求項１】　実際の競技を実況するための情報を含む競技関連データが格納されたデータベースを実際の競技の進行に従ってリアルタイムに更新し、通信手段を介して前記データベースの情報を提供する通信システムであって、
　
操作者より実況モードの指示があった場合、初期情報として
し、該情報に基づいて表示装置にキャラクタを表示させ、その後、前記データベースの情報が更新される毎に前記更新のあった箇所の情報を前記データベースから受信し、現在進行中の前記競技の試合内容をリアルタイムに
前記
た
【２】引用刊行物記載の発明
（１）当審における平成１３年７月２３日付け拒絶の理由に引用した刊行物１（特開昭62-212720号公報）には、その実施例及び図面の記載を参酌すると、以下のとおりの記載が認められる。
(1-1)「第2図は端末装置外観図である。……（略）……。ディスプレイ10には地図及び天気予報のマークを表示する。初期画面では日本地図を表示しており、この画面で送信キー12を押すと端末は各地方の予報を、日本地図に合成して表示する。もし希望する地域があれば、タッチパネル11を用いて指定する。例えば東京都の予報を知りたければ、日本地図上の関東地方をタッチする。そうすると関東地方がディスプレイ10の全面に表示される。さらに詳細な地域の予報が知りたければ東京都をタッチすると、東京都がディスプレイ10の全面に表示される。ユーザの希望する地域で送信キー12を押すと、端末はその画面での各地域の予報を表示する。」（第2頁左上欄第19行〜右上欄第17行、第2図）
(1-2)「第1図は通信システム及び端末装置のハードウエア構成図である。情報センタ20は各地の数時間毎の天気予報のコードデータ及び衛星から送られてきた衛星画像の画像データを格納しており、逐次データを更新する。通信網を通じて端末装置と接続するが、データ量、伝送速度を考慮して、衛星画像のデータはCATV21を、端末との送受信には電話回線22を通じてデータを伝送する。端末からの要求はユーザがキーボード27とタッチパネル11より入力し、送信部25より、電話回線22を通じて情報センタ20に問い合わせる。ユーザの要求とは地域と時刻の指定である。時刻は前もって決めておいた数時間毎のデータに限る。情報センタ20は指定された地域と場所の予報データをマスタファイルより読み取り、そのコードデータを電話回線22を通じて端末の受信部24に送る。例えば関東地方をディスプレイ10に表示している時に送信キー12が押されると東京都、千葉県等の関東地方の都道府県の天気予報コードを受信部24に送る。CPU28は主メモリ29を参照し、このコードを画像データに展開して、システムバス30を経由して画像メモリ26に書き込む。……（略）……。地図のデータは時刻にかかわらず一定であるのでビデオディスクに格納しておく。ビデオディスクプレーヤー23はCPU28が指示するフレームナンバーの地図データを画像メモリ26に出力する。画像メモリ26で地図データと画像データに展開した天気予報のデータを合成する。画像メモリ26は画像を取り込む入力を2つ持っており、地図＋天気予報を表示する時はチャネル1で地図の画像を画像メモリ26の中へ取り込み、衛星画像で雲の動きを見たい場合は情報センタ20にある画像データをチャネル2で取り込む。このチャネル1、2のメモリへの取り込みスイッチの切り換えをCPU28が制御する。」（第2頁右上欄第20行〜右下欄第17行、第1、2図）
(1-3)「第5図は情報センタ20にある天気予報テーブルである。地域コード毎に数時間おき（この例では6時間おき）のデータを有している。t1〜t4はある時刻（例えば3時、9時、15時、21時）に対応している。情報センタ20はユーザから指定された時刻と地域より天気予報コードを端末側の受信部24へ送る。天気予報コードは例えば“01”が晴れ、“02”が晴れ時時くもり、などのように対応づけておく。この場合の例では、ユーザは地域は関東地方、時刻はt2を指定したとすれば、東京都の地域コード“03010000”の時刻t2の天気予報コードは“01”という値を受信部24は受け取る。主メモリ上には、晴れ、くもり等に対応したm×m画素で構成されるマークを用意しておき、天気予報コードに応じた画像情報に展開して画像メモリ26上に書き込む。書き込む位置は画像メモリ26上のアドレス（x′、y′）から（x′＋m-1、y′＋n-1）までに書き込む。以下同様にして神奈川県、千葉県等の天気予報を情報センタ20より調べ、そのマークを画像メモリ26に書き込む。」（第3頁右上欄第5行〜左下欄第5行、第1、5図）
(1-4)「第6図はディスプレイ10に表示した関東地方の天気予報である。実線部の地図はビデオディスクのフレームナンバー2001番に格納してある画像データであり、天気予報のマークはCPU28が画像メモリ26に書き込む。破線のデータは県境を示す。ディスプレイ10に表示するためには地図上に破線を描いた画像をビデオディスクに登録する。」（第3頁左下欄第6〜13行、第1、6図）
（２）同じく引用した刊行物２（特開昭58-007691号公報）には、球団事務所内のスコア解析装置及び球場ベンチ内の解析データ表示装置と回線接続された球場ネット裏のデータ収集装置(1)として、実際の競技を実況するための情報を含む競技関連データが格納されたデータベースである記憶部(60)を有し、データベースである該記憶部(60)を実際の競技の進行又は進行状況に従って逐次に更新する制御装置（CPU59）が開示されており、この球場ネット裏のデータ収集装置(1)は、その「記憶部(60)の内容が出力部(61)を介して出力され球団事務所内のデータ収集装置(1)に入力され接続部(63)を介してマイクロ・コンピュータ(62)に入力される。マイクロ・コンピュータ(62)においては逐次入力されてくる転送データをメモリに記憶してゆくと共に適宜フロッピー・ディスク(65)に書き込んでゆく。また上記転送データは球場ベンチ内のカラー・ディスプレイ(68)に転送されディスプレイ面上に適宜表示される。」（第5頁右上欄第4〜13行）ものであり、またカラー・ディスプレイ(64)(68)には転送された未入力状態時など初期情報が試合進行画像データなどとして表示されるものであるから、初期情報としての試合進行画像データが未入力状態時で表示装置に表示されることが開示されているものと認められる。
　したがって、該刊行物２には「実際の競技を実況するための情報を含む競技関連データ（野球のスコアデータ）が格納されたデータベース（記憶部60）を有し、該データベースを実際の競技の進行又は進行状況（試合進行）に従って逐次（リアルタイム）に更新するホストコンピュータ（球場ネット裏のデータ収集装置1）と、表示装置（カラー・ディスプレイ64、68）を有する端末（球団事務所内のスコア解析装置及び球場ベンチ内の解析データ表示装置）とを、通信手段を介して接続（回線接続）し、前記端末が、初期情報としての試合進行画像データ（未入力状態時）を前記データベース（記憶部60）からの情報として前記通信手段を介して受信し、前記表示装置に表示し、その後、試合の進行により逐次更新されたデータを受信して表示するようにした通信システム（野球データ収集解析システム）」（実施例及び図面とこれに係わる記載、参照）が記載されている。
（３）同じく引用した刊行物３（特開昭63-115582号公報）には、「競技を実況するための情報（ピッチャー、バッターの個人データ等）に基づいて、前記競技の状況を実況するように、端末の表示装置（ホストゲーム装置2のディスプレイ装置）の表示画面上でキャラクタ（またはグラフィックキャラクタ）を動作させる（通常のTVの実況放送のようなアニメーションでゲームを進行させる）」ことが記載されている。
【３】対比・判断
　本願発明と前記刊行物１に記載された発明とを対比すると、刊行物１における天気予報の表示においても、天気予報の情報を受信してその天気の状況を表示装置に表示させるものであるから、本願発明における競技の試合内容を実況するように表示装置に表示することに対応させることができ、何れも「状況を表示する」点で共通するものと認められる。そして、刊行物１における「マスタファイル（天気予報テーブル）」「電話回線(22)及びCATV(21)」「ディスプレイ(10)」及び「地図及び天気予報のマーク」は、それぞれ本願発明における「データベース」「通信手段」「表示装置」及び「キャラクタ（或いはグラフィックキャラクタ）」に相当するので、両者は、以下のとおりの一致点及び相違点を有するものと認められる。
（一致点）
「実際の状況を表示するための情報を含む状況関連データが格納されたデータベースを実際の状況の進行に従って更新し、通信手段を介して前記データベースの情報を提供する通信システムであって、
　操作者より状況表示の指示があった場合、前記データベースの情報を前記通信手段を介して受信し、該情報に基づいて表示装置にキャラクタを表示させ、また、前記データベースの更新される情報を前記データベースから受信し、現在の内容を前記表示装置に表示させる端末を備えた通信システム。」
（相違点）
(a)実際の状況とその表示が、本願発明にあっては、実際の競技の実況であり、表示されたキャラクタを動作させるものであるのに対して、刊行物１にあっては、天気予報であり、表示されたキャラクタを動作させるとの明示がない点、
(b)本願発明にあっては、データベースをリアルタイムに更新するものであって、指示があった場合、初期情報として前記データベースの情報を前記通信手段を介して受信し、該情報に基づいて表示装置にキャラクタを表示させ、その後、前記データベースの情報が更新される毎に前記更新のあった箇所の情報を前記データベースから受信し、現在進行中の前記競技の試合内容をリアルタイムに実況するのに対して、刊行物１にあっては、逐次データを更新するものであって、指示があった場合、初期情報として、ビデオディスクに格納された情報（地図データ）と、情報センタ(20)のマスターファイルに格納された予報データ（天気予報のコードデータ及び衛星画像の画像データ）を前記通信手段を介して受信し、該情報（地図データ）と予報データに基づいて表示装置(10)にキャラクタを表示させるものの、その後、マスターファイルが更新される毎に天気予報の状況を表示しているのか否か明らかでない点、
（検討）
　そこで、上記各相違点について、以下に検討する。
　相違点(a)について、表示される状況として、例えばプロ野球などの種々の競技があることは、前記刊行物２、３に見られるように従来より周知であり、該刊行物２には、実際の競技を実況するための情報を含む競技関連データが格納されたデータベース（記憶部60）を有し、該データベース（記憶部60）を実際の競技の進行又は進行状況に従って逐次（リアルタイム）に更新し、これを表示装置を有する端末で表示するものが開示されており、また該刊行物３には、競技を実況するための情報に基づいて、前記競技の状況を実況するように、端末の表示装置の表示画面上でキャラクタ或いはグラフィックキャラクタを動作させることが開示されているので、刊行物１に記載のものにおいても、刊行物２、３に開示された技術的事項を採用して本願発明のように構成することは当業者が容易になし得ることと認められる。
　相違点(b)について、本願発明において「データベースの情報が更新される毎に前記更新のあった箇所の情報を前記データベースから受信」することの技術的意義は、本願明細書の記載からみて、「共同ＶＡＮホストコンピュータ４のベータベース５に蓄積されている野球データベースに最新のデータを更新し、更に各球場１の野球記者が入力するデータを、電話回線、モデムより各端末機１２が受信し、それをテレビ画面上にグラフィック化して表示する」（段落番号【0009】参照）ものであり、また「グラフィック・キャラクタを使用して、実際に進行している試合の内容を豊富で最新なデータベースを利用してテレビ画面で見たり、音声で聞いたりできる通信システム（なお、当初明細書では「スポーツＶＡＮシステム」）を提供する」（段落番号【0004】参照）ことにあるものと認められる。
（なお、この「データベースの情報が更新される毎に前記更新のあった箇所の情報を前記データベースから受信」する構成は、出願当初の明細書及び図面に明確な記載がなく、唯、本願発明の実施例として明細書の段落番号【0015】（出願当初と同一記載）には「実況の場合には、……、といった電文が送られて来る。……、リアル更新はホストコンピュータ4より端末機12に打撃結果、塁情報、得点情報を返信し、……表示する。」と記載する構成にとどまるものであって、出願当初の明細書にも「更新のあった箇所のみの情報」に限定して受信する構成の開示はなされていないのであるから、更新された情報の受信は実況が表示できる更新のあった箇所を含む「情報」を前記データベースから受信するもので有れば足りるものである。）
　そこで当該相違点(b)について検討すると、前記刊行物１においてもデータの更新は「逐次」更新する旨記載されており、この更新が本願発明のリアルタイムであることと格別の差異を有するものとは認められない。また、前記刊行物２においても、初期情報としての試合進行画像データなどが未入力状態時で表示装置に表示されるのであるから、初期情報として前記データベース（記憶部60）の情報を前記通信手段（回線接続）を介して受信しているものと認められる。そして、該刊行物２には、実際の競技を実況するための情報を含む競技関連データが格納されたデータベースである記憶部(60)を有し、該データベース(記憶部60)を実際の競技の進行又は進行状況に従って逐次に更新する球場ネット裏のデータ収集装置(1)（制御装置59）が開示されており、また該球場ネット裏のデータ収集装置(1)の記憶部(60)の内容は出力部(61)を介して出力され、回線接続された球団事務所内のスコア解析装置のデータ収集装置(1)に転送され、マイクロ・コンピュータ(62)に逐次入力され、カラー・ディスプレイ(64)(68)に表示するものが記載されている。
　したがって、本願発明のように、データベースをリアルタイムに更新し、また指示により初期情報として前記データベースの情報を前記通信手段を介して受信し、該情報に基づいて表示装置にキャラクタを表示させ、その後、前記データベースの情報が更新される毎に前記更新のあった箇所の情報を前記データベースから受信し、現在進行中の前記競技の試合内容をリアルタイムに実況する構成となることは、前記刊行物１乃至２に記載された技術的事項に基づいて当業者が容易になし得ることと認められる。
　また、本願発明により奏する作用効果も、当業者が予測し得る程度のものであって格別のものとは認められない。
【４】まとめ
　以上のとおりであって、本願の特許請求の範囲の請求項１に係る発明は、前記刊行物１乃至３に記載された発明に基づいて当業者が容易に発明をすることができたものと認められるので、特許法第２９条第２項の規定により特許を受けることができない。
　したがって、本願は、その余の請求項について論及するまでもなく、拒絶すべきものである。
　よって、結論のとおり審決する。